(57)【要約】【課題】メンテナンス時の作業性を向上させる。【解決手段】受け皿ユニットを構成する背面板４５に開口４６を設ける。この開口４６を遮蔽する位置と、この開口４６の一部を露呈する位置との間で回動するカバー５０を背面板４５に組み付ける。また、本体部材３にメンテナンス用開口７０を設ける。遊技場にパチンコ機が配設された場合には、パチンコ機自体を回動させた後に、メンテナンス用開口７０を介してカバー５０を回動させることで開口４６を露呈させ、受け皿ユニットの内部設けられた排出通路の内部のメンテナンス作業を行う。【選択図】        図８
2007054193.tif 000002
【特許請求の範囲】
【請求項１】
遊技球を受容する受け皿と、該受け皿と連通される通路とを備えた受け皿ユニットと、該受け皿ユニットが組み付けられる本体部材とを備えた遊技機であって、
前記受け皿ユニットは、前記本体部材に対峙する面に前記通路の一部を露呈する開口を備えるとともに、前記本体部材は、前記受け皿ユニットが組み付けられたときに、前記開口を前記本体部材に対峙する面とは反対側の面から露呈させる本体側開口を備え、
前記本体側開口を閉口する位置と、前記本体側開口を介して前記開口を露呈させる位置との間で回動可能なカバーを設けたことを特徴とする遊技機。
【請求項２】
前記カバーは、前記受け皿ユニットと本体部材との間に配置され、且つ受け皿ユニットの背面に沿って回動するとともに、
前記カバーは、前記本体側開口を閉口する位置で、前記受け皿ユニットに設けられた第１係合部と係合する第１係止部と、前記本体側開口を介して前記開口を露呈する位置で、前記受け皿ユニットに設けられた第２係合部と係合する第２係止部とを備えていることを特徴とする請求項１記載の遊技機。
【請求項３】
前記受け皿ユニットは、前記本体部材に対峙する面から突出するリブを少なくとも前記開口の周縁部に備えるとともに、
前記カバーは、前記本体側開口を閉口する位置に保持された場合に、前記リブの外周に位置し、前記リブの一部を被覆する被覆部を備えていることを特徴とする請求項１又は２記載の遊技機。
【請求項４】
前記受け皿ユニットを前記本体部材に組み付けた際に、前記カバーは、前記本体部材に押し当てられるように組み付けられることを特徴とする請求項３記載の遊技機。
【請求項５】
前記カバーは、前記本体側開口を閉口した状態を保ったままスライドさせることによって、前記本体部材に設けられた係合部と係合する係止片を備えていることを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機は、基体となる本体部材に、上部扉及び下部扉からなる２枚の前面扉が本体部材に対して回動自在となるように組み付けられている。例えば上部扉は、その略中央に窓部が設けられ、窓部を介して遊技領域を視認できるようになっている。一方、下部扉は、入賞に対して払い出された遊技球が受容される供給皿が設けられた構成となっている。下部扉には、供給皿の他に、該供給皿に受容された遊技球を発射装置に向けて整列させて送り込む送り込み通路や、供給皿に受容された遊技球を外部に排出するための排出通路が設けられている。
【０００３】
この下部扉の背面には、例えば送り込み通路や、排出通路を臨む窓部が設けられ、これら窓部に対して開閉する扉をそれぞれ備えている（特許文献１）。これら扉は、通常、窓部を遮蔽する位置に保持され、例えば送り込み通路の内部や、排出通路の内部の清掃や、各通路に発生した球詰まりの解消時等のメンテナンス時に開放されるようになっている。また、供給皿が本体部材に固定されているパチンコ機の場合には、本体部材にメンテナンス用の開口を設け、この開口を開閉するためのメンテナンス用の扉を備えているものもある（特許文献２）。
【特許文献１】特開２００３−１９０４２９号公報
【特許文献２】特開２００４−３１３３３２号公報
【発明の開示】
【発明が解決しようとする課題】
【０００４】
しかしながら、下部扉を開閉できるパチンコ機の場合、メンテナンス用の扉は、下部扉を開放した状態でメンテナンス作業を行うことを前提にした配置構成となっている。このような構成の場合には、例えば上部扉を開けた後に下部扉を開くことになるが、メンテナンス中に上部扉が回動し、上部扉と下部扉との間に指を挟んでしまう等、作業性が良くないという問題がある。また、供給皿が本体部材に組み込まれたパチンコ機の場合には、例えば遊技場に固定するための固定枠に対して本体部材を回動させた後にメンテナンス作業を行うことができるので作業性が向上することになるが、メンテナンス作業が行われないときに、例えば受け皿から外部へと遊技球を排出する通路を介して針金等を挿入し、パチンコ機の裏側に配設された制御回路を上述した針金によって短絡させるという不正行為が行われてしまうという問題がある。
【０００５】
本発明は、上記課題を解決するためになされたものであり、メンテナンス時の作業性を向上させることができるようにした遊技機を提供することを目的とする。
【課題を解決するための手段】
【０００６】
上記目的を達成するために、本発明の遊技機は、遊技球を受容する受け皿と、該受け皿と連通される通路とを備えた受け皿ユニットと、該受け皿ユニットが組み付けられる本体部材とを備えた遊技機であって、前記受け皿ユニットは、前記本体部材に対峙する面に前記通路の一部を露呈する開口を備えるとともに、前記本体部材は、前記受け皿ユニットが組み付けられたときに、前記開口を前記本体部材に対峙する面とは反対側の面から露呈させる本体側開口を備え、前記本体側開口を閉口する位置と、前記本体側開口を介して前記開口を露呈させる位置との間で回動可能なカバーを設けたことを特徴とする。
【０００７】
また、前記カバーは、前記受け皿ユニットと本体部材との間に配置され、且つ受け皿ユニットの背面に沿って回動するとともに、前記カバーは、前記本体側開口を閉口する位置で、前記受け皿ユニットに設けられた第１係合部と係合する第１係止部と、前記本体側開口を介して前記開口を露呈する位置で、前記受け皿ユニットに設けられた第２係合部と係合する第２係止部とを備えていることを特徴とする。
【０００８】
また、前記受け皿ユニットは、前記本体部材に対峙する面から突出するリブを少なくとも前記開口の周縁部に備えるとともに、前記カバーは、前記本体側開口を閉口する位置に保持された場合に、前記リブの外周に位置し、前記リブの一部を被覆する被覆部を備えていることを特徴とする。
【０００９】
また、前記受け皿ユニットを前記本体部材に組み付けた際に、前記カバーは、前記本体部材に押し当てられるように組み付けられることを特徴とする。
【００１０】
また、前記カバーは、前記本体側開口を閉口した状態を保ったままスライドさせることによって、前記本体部材に設けられた係合部と係合する係止片を備えていることを特徴とする。
【発明の効果】
【００１１】
本発明の遊技機によれば、遊技球を受容する受け皿と、該受け皿と連通される通路とを備えた受け皿ユニットと、該受け皿ユニットが組み付けられる本体部材とを備えた遊技機であって、前記受け皿ユニットは、前記本体部材に対峙する面に前記通路の一部を露呈する開口を備えるとともに、前記本体部材は、前記受け皿ユニットが組み付けられたときに、前記開口を前記本体部材に対峙する面とは反対側の面から露呈させる本体側開口を備え、前記本体側開口を閉口する位置と、前記本体側開口を介して前記開口を露呈させる位置との間で回動可能なカバーを設けたから、本体部材を回動させた後にカバーを回動させるだけで、メンテナンスを行うことができることになり、遊技者にパチンコ機内部の構成を視認させることを防止することができるとともに、扉を開けてメンテナンスする際の作業性を向上させることができる。
【００１２】
また、前記カバーは、前記受け皿ユニットと本体部材との間に配置され、且つ受け皿ユニットの背面に沿って回動するとともに、前記カバーは、前記本体側開口を閉口する位置で、前記受け皿ユニットに設けられた第１係合部と係合する第１係止部と、前記本体側開口を介して前記開口を露呈する位置で、前記受け皿ユニットに設けられた第２係合部と係合する第２係止部とを備えているので、メンテナンス作業時の作業性を向上させることができ、また、開口を遮蔽する位置においてもカバーが固定されるので、メンテナンスが行われていない場合であっても、前記開口を被覆する位置にカバーを保持することができる。
【００１３】
また、前記受け皿ユニットは、前記本体部材に対峙する面から突出するリブを少なくとも前記開口の周縁部に備えるとともに、前記カバーは、前記本体側開口を閉口する位置に保持された場合に、前記リブの外周に位置し、前記リブの一部を被覆する被覆部を備えているから、通路から針金等の異物を挿入して遊技機の背面側に設けられた制御基板を短絡させる等の不正行為を防止することができる。
【００１４】
また、前記受け皿ユニットを前記本体部材に組み付けた際に、前記カバーは、前記本体部材に押し当てられるように組み付けられるから、カバーのがたつきによって生じる隙間から、異物等の挿入を防止することができる。
【００１５】
また、前記カバーは、前記本体側開口を閉口した状態を保ったままスライドさせることによって、前記本体部材に設けられた係合部と係合する係止片を備えているから、メンテナンスが行われていない場合に、前記本体側開口を閉口する位置にカバーを確実に保持することができ、通路から針金等の異物を挿入して遊技機の背面側に設けられた制御基板を短絡させる等の不正行為を防止することができる。
【発明を実施するための最良の形態】
【００１６】
図１は、第１の実施形態からなるパチンコ機の外観を示す。このパチンコ機２は、基体となる本体部材３に、前面扉４が図示しないヒンジ部を介して回動自在に組み付けられている。この前面扉４は枠形状からなり、その中央が開口されている。この開口となる部分（以下、開口４ａ）は、前面扉４の後面側から、例えばガラス板（図示せず）等の透光性を有する部材によって遮蔽される。これにより、パチンコ機２の遊技領域１０や、該遊技領域１０を流下する遊技球３５は、上述したガラス板を介して視認される。本実施形態では、透光性を有する部材としてガラス板を取り上げたが、これに限定する必要はなく、例えば透明なプラスチック等によって開口４ａを遮蔽することも可能である。また、符号６は固定枠であり、パチンコ機２を回動自在に保持するために設けられている。
【００１７】
ガラス板を介して視認される遊技領域１０には、センター役物１５と呼ばれる役物装置が遊技領域１０の略中央に設けられている。このセンター役物１５の中央には、「大当たり」状態へ移行するか否かの移行抽選が行われた際に所定の図柄が可変表示される表示画面１６が位置する。なお、この表示画面１６は、例えば液晶パネルや、ブラウン管等の表示画面が挙げられるが、リールをセンター役物に設けた場合には、リールの外周面とすることが可能である。このセンター役物１５の下方には、例えば通過チャッカー１７、始動チャッカー１８、入賞チャッカー１９等の入賞装置の他に、アタッカ２０と呼ばれる可動入賞装置が配置される。なお、これら入賞装置については、周知であるため、その詳細は省略する。なお、符号２１はアウト口であり、遊技領域１０を流下する遊技球３５のうち、上述した入賞装置に入賞しなかった遊技球３５を回収するために設けられている。
【００１８】
前面扉４の下方には、受け皿ユニット２０が本体部材３に組み付けられている。この受け皿ユニット２０は、図示はしないが、例えば外装カバーや、背面板４５（図４参照）等を含む複数の部材から構成されている。この受け皿ユニット２０の上面には、払い出される遊技球３５を受容する受け皿２１が設けられている他に、排出ボタン２２，２３、操作ハンドル２４等を備えている。
【００１９】
図２に示すように、受け皿２１は、払い出し口２５から払い出された遊技球３５（図３参照）を受容するために設けられている。この受け皿２１の底面は螺旋状に傾斜しており、払い出し口２５から払い出される遊技球３５は、図２中Ａ方向に転動した後に、図２中Ｂ方向へと転動することになる。なお、受け皿２１は、発射装置３０（図１参照）に向けて遊技球３５を整列させて送り込むための送り込み通路２６と連通しているので、図２中Ｂ方向に転動する遊技球３５は、送り込み通路２６に向けて転動することになる。なお、符号２７はリブであり、払い出し口２５から払い出される遊技球３５が直接送り込み通路２６に転動することを防止するために設けられている。
【００２０】
受け皿２１の底面には、開口２８が設けられている。この開口２８は第１排出通路２９と連通している。なお、図３又は図４に示すように、開口２８は、落下防止板３１によって遮蔽されており、排出ボタン２２，２３いずれか一方の操作によって落下防止板３１が開口２８を遮蔽する位置から退避することで、払い出し口２５から払い出される遊技球３５、或いは、受け皿２１に受容された遊技球３５のうち、開口２８から払い出し口２５の近傍までの間に受容された遊技球３５がパチンコ機２の外部へと排出されることになる。
【００２１】
送り込み通路２６は、受け皿２１に受容された遊技球３５を発射装置３０に向けて配列させながら送り込むために設けられている。この送り込み通路２６の上流側端部は受け皿２１と連通して設けられている。この送り込み通路２６の下流側端部は、発射装置３０に向けて遊技球３５を送り込む送り込み口３２が設けられている。この送り込み通路２６の下流側端部は第２排出通路３３と連通するように設けられている。この送り込み通路２６と第２排出通路３３との分岐部分には遮蔽板３４が位置することによってこれら通路が遮断されている。これにより、送り込み通路２６の内部を案内される遊技球３５は、送り込み口３２から発射装置３０へと送り込まれる。例えば排出ボタン２２が操作されると、遮断板３３が図３に示す一点鎖線の位置まで退避し、送り込み通路２６と第２排出通路３３とが連通した状態となる。この場合、送り込み通路２６を案内される遊技球３５は、送り込み口３２から発射装置３０へは送り込まれず、図３に示すＣ方向に落下する、つまり第２排出通路３３へと落下することになる。
【００２２】
第１排出通路２９と、第２排出通路３３との下流側端部は、それぞれ第３排出通路３６と連通しており、第１排出通路２９を落下する遊技球３５、或いは第２排出通路３３を落下する遊技球３５は、それぞれ第３落下通路３６に導かれた後に、排出口３７からパチンコ機２の外部へと排出される。なお、詳しくは後述するが、この第３落下通路３５の側壁面は、受け皿ユニット２０を構成する背面板４５の側面からなり、この背面板４５の側面には開口４６（図６参照）が設けられている。
【００２３】
排出ボタン２２，２３は、受け皿に受容された遊技球３５を、例えば遊技店に備えられている収容箱に排出する等、パチンコ機２の外部に排出する際に操作されるボタンである。これら排出ボタン２２，２３のうち、排出ボタン２２は、受け皿ユニット２０に払い出された遊技球３５を全て排出する際に操作されるボタンであり、この排出ボタン２２を操作すると、遮蔽板３４が送り込み通路２６と第２排出通路３３とを遮断する位置から退避する（図３参照）。これにより、送り込み通路２６に送り込まれた遊技球３５と受け皿２１に受容された遊技球とが第２排出通路３３へ落下する。そして、遊技球３５が第２排出通路３３を転動した後に、第３排出通路３６の内部を落下し、排出口３７からパチンコ機２の外部へと排出される。一方、排出ボタン２３を操作すると、遮蔽板３１が開口２８を遮蔽する位置から退避する。この場合は、受け皿２１に受容された遊技球３５の一部が開口２８に落下し、第１排出通路２９、第３排出通路３６の内部を案内された後、排出口３７からパチンコ機２の外部へと排出される。
【００２４】
操作ハンドル２４は、遊技を行う際に回転操作される。この操作ハンドル２４を回転させると、操作ハンドル２４の内部に設けられた操作ボリューム（図示せず）のボリューム量が変化し、その変化量に基づいて発射装置３０における遊技球３５の打ち出し強さが変化する。なお、図２に示す符号４０は装飾パネルであり、この装飾パネル４０には、例えばパチンコ機２のイメージ画像等が印刷されている。なお、この装飾パネル４０の代わりに、液晶表示装置等の表示装置を配置し、パチンコ機２のイメージ画像や、アニメーション画像等を表示させることも可能である。
【００２５】
図４に示すように、受け皿ユニット２０を構成する背面板４５には、複数のリブが立設されている。この背面板４５の幅方向の略中央であって、背面板４５の下部には開口４６（図６参照）が設けられている。この開口４６は、上述した排出通路の内部を清掃する等、メンテナンス作業を行うために設けられている。この開口４６の周縁には、開口４６に連なったリブ４７が立設されている。
【００２６】
この開口４６はカバー５０によって遮蔽されている。カバー５０は、略方形板状から構成されている。このカバー５０の表面（背面板に対峙する面とは反対側の面）、及び裏面（背面板に対峙する面）には、その周縁部に沿ってリブ５１，５２がそれぞれ形成されている。また、カバー５０の表面には、補強としての役割を担うリブ５３，５４が立設されている。また、この他に、カバー５０を回動させる際に作業者が摘む摘み部となるリブ５５が立設されている。
【００２７】
このカバー５０は、図４中、或いは図５中右下方に軸孔５６が設けられ、背面板４５に設けられたボス４５ａを挿通させた状態で保持される。これにより、カバー５０は背面板４５に対して回動自在に組み付けられる。カバー５０を背面板４５に組み付けると、カバーの裏面と、背面板４５に設けられたリブ４７とが当接され、且つカバー５０に設けられたリブ５２が、背面板４５のリブ４７よりも外側に配置された状態で保持される（図８参照）。これにより、例えば受け皿ユニット２に設けられる排出口３７から針金等の異物を挿入したとしても、カバー５０と背面板４５との間には隙間がないため、パチンコ機２の裏側へ異物を挿入することを防止することができる。
【００２８】
このカバー５０の側面５０ａは、円弧状の曲面から形成されている。この側面５０ａには、舌片６０及び係止突起（第２係止部）６１が設けられる。舌片６０は、カバー５０を図６中Ｅ方向に回動させたときに、背面板４５に設けられたストッパ６３に当接されることで、その回動が停止される。この舌片６０には、係止片（第１係止部）６０ａが設けられており、舌片６０がストッパ６３に当接されたときに、ストッパ６３に直交するように設けられた係合爪（第１係合部）６４に係止片６０ａが係合される。なお、カバー５０を閉じ位置に保持する方法としては、上記に限定する必要はなく、例えば舌片６０に係止孔を、ストッパに係合爪を設ける等、適宜の方法を用いることができる。
【００２９】
係止突起６１は、カバー５０を図５中Ｄ方向に回動させたときに、カバー５０の側面に沿って設けられた背面板４５のリブ６５に設けられた係合溝（第２係合部）６５ａに係合される。これにより、カバー５０が開き位置に保持される。なお、開き位置にカバー５０が保持されると、背面板４５に設けられた開口４６の一部が露呈され、露呈された開口４６の一部から、第３排出通路３６の内部が視認可能となる。
【００３０】
図７は、本体部材３の下部であって、その背面の構成を示す平面図である。本体部材３の下部には、上述した発射装置３０や、電源装置やスピーカ（図示せず）等の電気部品等が組み付けられる。この本体部材３の下部には、上述した開口４６を露呈するためのメンテナンス用開口（本体側開口）７０が設けられている。このメンテナンス用開口７０は、閉じ位置にあるカバー５０によって閉口され、メンテナンス作業を行う際には、メンテナンス用開口７０を介して閉じ位置にあるカバー５０を開き位置まで回動させる。カバー５０を開き位置（図６参照）まで回動させると、メンテナンス開口７０が開口し、背面板４５に設けられた開口４６がメンテナンス用開口７０介して露呈される。なお、図８に示すように、受け皿ユニット２０を本体部材３に組み付けると、メンテナンス用開口７０の周縁部７０ａと、カバー５０に設けられたリブ５１とが当接される。なお、メンテナンス用開口７０の周縁部７０ａとカバー５０に設けられたリブ５１とを当接させる必要はなく、例えば組み付け誤差の範囲の隙間が設けられていてもよい。なお、図８では、図の煩雑さを防ぐために、背面板４５のみを図示したものである。
【００３１】
このようなパチンコ機２の場合、例えば受け皿ユニット２０の第１排出通路２９、第２排出通路３３、第３排出通路３６のメンテナンスを行う場合には、パチンコ機２と固定枠６との施錠を解除して、パチンコ機２を回動させる。パチンコ機２を回動させると、本体部材３の背面が露呈される。この状態で、本体部材３に設けられたメンテナンス用開口７０を介してカバー５０に設けられたリブ５５を押し上げる。この際、カバー５０の舌片６０に設けられた係止爪６０ａと、背面板４５に設けられた係合爪６４との係合が解除され、カバー５０を図５中Ｄ方向へ回動することが可能となる。そして、カバー５０を図５中Ｄ方向へと回動させると、リブ６５に設けられた溝部６５ａに、カバー５０の側面５０ａに設けられた係止突起６１とが係合し、カバー５０が開き位置に保持される。図６に示すように、カバー５０が開き位置に保持されると、メンテナンス用開口７０から背面板４５の開口４６が一部露呈され、第３排出通路３６の内部が視認される。遊技場の店員は、メンテナンス用開口７０から清掃用のブラシ等を挿入して、第１排出通路２９、第２排出通路３３、第３排出通路３６の内部のメンテナンスを行うことになる。
【００３２】
そして、各排出通路の内部のメンテナンス作業が終了すると、作業者は、開き位置にあるカバー５０を図６中Ｅ方向に回動させる。カバー５０を図６中Ｅ方向に回動させると、カバー５０の舌片６０がストッパ６３に当接され、かつ舌片６０に設けられた係止片６０ａと、ストッパ６３に設けられた係合爪６４とが係合され、カバー５０が閉じ位置に保持される。このとき、メンテナンス用開口７０がカバー５０によって閉口される。図８に示すように、この状態では、背面板４５の開口４６の周縁に沿って設けられたリブ４７に、カバー５０を構成する面のうち、背面板４５と対面する面が当接され、また、カバーの外周にかけて設けられたリブ５２が開口４６に沿って設けられたリブ４７の外側に位置しているので、排出口３７から針金等を挿入し、異物をパチンコ機２の背面側に挿入することを防止することができる。また、カバー５０を背面板４５に沿って回動させるので、カバー５０を回動させるスペースを抑制することができる。
【００３３】
第１の実施形態では、カバーを受け皿ユニットを構成する背面板に対して回動自在となるように組み付けたが、これに限定する必要はなく、カバーが背面板と本体部材との間に配置されていればよく、本体部材にカバーを組み付けることも可能である。
【００３４】
図９に、第２の実施形態からなるパチンコ機の外観を示す斜視図を示す。パチンコ機８０は、基体となる本体部材８１に、上部扉８２及び下部扉（受け皿ユニット）８３からなる２枚の前面扉８４が本体部材８１に対して回動自在となるように、図示しないヒンジ部を介して組み付けられる。上部扉８２の中央には開口８２ａが設けられており、この開口８２ａは上部扉８２の裏側に取り付けられるガラス板により遮蔽されている。なお、上部扉８２は閉じている状態では、遊技の際に遊技領域を流下する遊技球３５や、遊技領域に設けられた構造物は、この開口８２ａを遮蔽するガラス板を介して視認される。一方、上部扉４を開けると遊技領域が露呈されることになるが、この場合、例えば遊技領域に設けられる障害釘の調整や、球詰まりの際のメンテナンス等が行われる。なお、符号８は、本体部材８１を遊技場等に固定するための固定枠である。
【００３５】
下部扉８３には、遊技媒体である遊技球を供給する供給皿８６、発射装置８７における遊技球の打ち出し強さを調節する操作ハンドル８８等が設けられている。供給皿８６には、遊技を開始する際に遊技球が供給される他に、遊技領域を流下する遊技球が上記入賞口のいずれかに入賞したことを受けて払い出される賞球としての遊技球が受容される。図１０に示すように、供給皿８６の底面には、開口９０が設けられており、遮蔽部材（図示せず）によって遮蔽されている。この開口９０には、排出通路１１５（図１２参照）の一端が連なっており、開口９０が開放されると、受容されている遊技球３５が、この開口９０を介して排出通路１１５へと流下し、外部へと排出される。なお、符号８９は、供給皿８６に受容された遊技球を外部に排出する際に操作される排出操作部である。
【００３６】
また、供給皿８６には、その底面を上流側の端部とした誘導通路９１が設けられている。この誘導通路９１の下流側の端部には、図示はしない球送り装置が設けられ、この玉送り装置を介して、発射装置８７に遊技球が供給される。なお、誘導通路９１を転動する遊技球３５は、その転動過程において、略ライン状に並んだ状態に整列される。
【００３７】
この誘導通路９１の下流側の端部には開口９２が設けられている。この開口９２は遮蔽されており、誘導通路９１を転動する遊技球を球送り装置に向けて転動させる。この開口９２が開放されると、誘導通路９１の内部にある遊技球が開口９２を介して排出通路１１５へと流下し、外部へと排出される。
【００３８】
図１１に示すように、パチンコ機８０を構成する本体部材８１の裏側（前面扉が組み付けられた面とは反対側）には、メンテナンス用開口（本体側開口）９５が設けられている。このメンテナンス用開口８５は、後述するカバー９６によって閉口（以下では、遮蔽と称する）されている。
【００３９】
カバー９６は、カバー本体９７と、組付部９８とから構成され、組付部９８の側面にピン９９，１００が設けられている。本体部材８１には、軸受け片１０５，１０６が所定間隔を空けて設けられており、この軸受け片１０５，１０６に設けられたガイド孔１０５ａ，１０６ａに、ピン９９，１００がそれぞれ挿通される。なお、符号１０７は、組付用溝部であり、ピン１００をガイド孔１０６ａに挿通させる際に組付部９８の領域９８ａを撓ませるために設けられている。
【００４０】
カバー本体９７は、本体部材８１に設けられたメンテナンス用開口８５を遮蔽するために設けられている。このカバー本体９７には、本体部材８１に設けられた係合部１０８と係合することによって、カバー９６を閉じ位置に保持するための係止片１０９が設けられている。
【００４１】
図１２〜図１４を用いて、カバー９６の操作を説明する。例えば、このカバー９６は、下部扉８３に設けられた排出通路１１５のメンテナンスを行わない場合には、カバー９６に設けられた係止片１０９と、本体部材８１の係合部１０８とが係合され、カバー本体９６がメンテナンス用開口８５を遮蔽する状態で保持される。そして、メンテナンス作業を行う場合には、まず、カバー９６を図１２中Ｐ方向にスライドさせ、係止片１０９と、係合部１０８との係合を解除する。このとき、図１３に示すように、カバー本体９７の壁面９７ａが、メンテナンス用開口８５の内壁面８５ａに当接することで、図１２中Ｐ方向へのスライドが停止される。その後、カバー９６を図１３中Ｑ方向に回動させると、本体部材８１に設けられたメンテナンス用開口８５が露呈される。このメンテナンス用開口８５が露呈されると、下部扉８３に設けられた排出通路１１５と連通する開口１１６が露呈され、排出通路１１５の内部が露呈される。この状態で、遊技場の店員はメンテナンス作業を行う。
【００４２】
そして、メンテナンス作業が終わると、カバー９６を図１４中Ｒ方向に回動させた後に、図１３中Ｓ方向にスライドさせる。このカバー９６をスライドさせると、カバー９６に設けられたリブ１１７が、本体部材８１のメンテナンス用開口８５の周縁部に設けられたストッパ１１８に当接したときに、カバー９６の係止片１０９が本体部材８１の係合部１０８に係合され（図１２参照）、カバー９６の図１３中Ｓ方向へのスライドが停止される。これにより、メンテナンス用開口８５がカバー９６に遮蔽された状態でカバー９６が本体部材８１に保持される。この場合、排出口１１９から異物を挿入しても、メンテナンス用開口８５を異物によって回動させることができなくなるので、不正行為を行わせることができなくなる。
【図面の簡単な説明】
【００４３】
【図１】第１の実施形態となるパチンコ機の外観を示す斜視図である。
【図２】受け皿ユニットの構成を示す斜視図である。
【図３】排出通路の構成を示す正面図である。
【図４】受け皿ユニットの後面側の構成を示す斜視図である。
【図５】閉じ位置にあるカバー近傍を示す斜視図である。
【図６】開き位置にあるカバー近傍を示す斜視図である。
【図７】受け皿ユニットの後面側の構成を示す正面図である。
【図８】図７に示すＧ−Ｇ’断面を示す断面図である。
【図９】第２の実施形態となるパチンコ機の外観を示す斜視図である。
【図１０】下部扉の構成を示す斜視図である。
【図１１】本体部材の裏面にカバーを設けた場合のカバー近傍の構成を示す説明図である。
【図１２】メンテナンス用開口の近傍の構成を示す断面図である。
【図１３】係止片と、係合部との係合が解除されたときのカバーの状態を示す断面図である。
【図１４】カバーが開き位置にある場合のメンテナンス用開口の近傍の構成を示す断面図である。
【符号の説明】
【００４４】
２，８０  パチンコ機
３，８１  本体部材
２０  受け皿ユニット
２１  受け皿
２９  第１排出通路
３３  第２排出通路
３５  遊技球
３６  第３排出通路
３７，１１９  排出口
４６  開口
４７  リブ
５０  カバー
５１  リブ
６０ａ  係止片（第１係止部）
６１  係止突起（第２係止部）
６４  係合部（第１係合部）
６５ａ  係合溝部（第２係合部）
７０，８５  メンテナンス用開口（本体側開口）
８６  供給皿
１０８  係合部
１０９  係止片
１１５  排出通路
【図１】
2007054193.tif 000003
【図２】
2007054193.tif 000004
【図３】
2007054193.tif 000005
【図４】
2007054193.tif 000006
【図５】
2007054193.tif 000007
【図６】
2007054193.tif 000008
【図７】
2007054193.tif 000009
【図８】
2007054193.tif 000010
【図９】
2007054193.tif 000011
【図１０】
2007054193.tif 000012
【図１１】
2007054193.tif 000013
【図１２】
2007054193.tif 000014
【図１３】
2007054193.tif 000015
【図１４】
2007054193.tif 000016